(57)【特許請求の範囲】
【請求項１】
ポータブル中間通信デバイス（１００）において、
クライアントデバイス（３００）から少なくとも１つの暗号鍵を受け取るように構成された少なくとも１つのＮＦＣ要素（１０２）と、
前記暗号鍵をサーバ（２００）に伝送するように動作する少なくとも１つの非ＮＦＣ非電話の無線送信器（１０４）であって、前記サーバ（２００）が、前記クライアントデバイス（３００）から前記サーバ（２００）へ送信された暗号化データを、前記暗号鍵を用いて解読し、前記クライアントデバイス（３００）を新たなネットワークデバイスとして登録できるようにする、前記無線送信器（１０４）と、
前記無線送信器を制御するためのプロセッサ（１０１）と、
を備えるポータブル中間通信デバイス（１００）。
【請求項２】
前記デバイス（１００）がＴＶ遠隔制御装置である、
請求項１に記載のデバイス。
【請求項３】
前記デバイス（１００）が無線電話である、
請求項１に記載のデバイス。
【請求項４】
前記サーバ（２００）がＴＶである、
請求項２に記載のデバイス。
【発明の詳細な説明】
【技術分野】
【０００１】
本発明は、一般に、近距離通信（ＮＦＣ）を用いたオーディオビデオデバイスのホームネットワークへの登録に関する。
【背景技術】
【０００２】
新しいデジタルビデオディスク（ＤＶＤ）プレーヤ又はデジタルビデオレコーダ（ＤＶＲ）などの新しいデバイスを家庭用エンターテイメントネットワークなどのネットワークに取り付けることは、これらの製品が対象とする顧客は勿論のこと、技術者にとっても困難な作業となる可能性がある。これは、ネットワーク登録が、ＩＰアドレス、有線同等のプライバシー（ＷＥＰ）キー、その他に対しての一連の長い英数字の入力を伴う場合があることに起因する。
【０００３】
本明細書で認識されるように、上記の面倒な作業からユーザを助けるために、近距離通信（ＮＦＣ）を用いることができ、ここでは、限定ではないが、無線固体識別（ＲＦＩＤ）及び／又はＳｏｎｙ製「Ｆｅｌｉｃａ」ＮＦＣ技術などのＮＦＣ原理を利用して、登録しようとしているデバイスとネットワークとの間で上記の情報交換を自動で実施することができる。更に、本明細書で認識されるように、予めＮＦＣ機能が備えられたシステムサーバ（通常はＴＶ（テレビ））はほとんどの場合は存在しないので、このようなサーバを必要とせずにＮＦＣ登録を行うことが望ましいことになる。更に、本明細書で理解されるように、比較的大型のデバイスと比較的大型のサーバとの間のＮＦＣ登録では、ＮＦＣを可能にするために、一方の大型の対象物を他方に十分に近づけることが必要となる。本発明は、これらの認識を考慮して提供されるものである。
【発明の概要】
【課題を解決するための手段】
【０００４】
鍵を格納する近距離通信（ＮＦＣ）ステッカーが新しいクライアントデバイスに取り付けられる。ホームネットワーク内の遠隔制御装置は、ＮＦＣインタフェースを用いて鍵を読み込み、これをホームネットワークサーバにＩＲ送信する。クライアントがネットワークに接続されると、クライアントは、自己のデバイス情報を鍵で暗号化し、この暗号化された情報をサーバに送信し、サーバは、遠隔制御装置から送信された鍵でデータを解読する。このようにして、クライアントデバイスの登録が容易且つセキュアに実行される。
【０００５】
従って、ホームネットワークは、ハンドヘルドのポータブル遠隔制御装置を含む。遠隔制御装置は、近距離通信（ＮＦＣ）要素及び非ＮＦＣ無線送信器を含む。クライアントデバイスはネットワークに登録しようと試み、ＮＦＣ要素を含むクライアントデバイスは、遠隔制御装置のＮＦＣ要素によりＮＦＣ原理を用いて読み込み可能な暗号鍵を格納する。ＮＦＣ機能を持たず、無線受信器を有するネットワークサーバは、遠隔制御装置の非ＮＦＣ無線送信器から鍵を受け取る。
【０００６】
遠隔制御装置のＮＦＣ要素は、ＮＦＣリーダもしくはＮＦＣリーダ／ライターとすることができ、サーバはデジタルＴＶとすることができる。非ＮＦＣ無線送信器はＩＲ送信器とすることができる。何れの場合においても、サーバは、ネットワーク上でクライアントから暗号化された登録情報を受け取り、鍵を用いて登録情報を解読することができる。
【０００７】
別の態様において、鍵は、ネットワーク上で登録しようとするクライアントデバイスからＮＦＣを用いて取得される。鍵は、無線、非ＮＦＣ、非電話通信モードを用いて登録サーバに送信され、該鍵を用いてクライアントデバイスをサーバに登録する。
【０００８】
更に別の態様において、無線電話又はＴＶ遠隔制御装置によって実施することができる、ポータブル中間通信デバイスが開示される。デバイスは、クライアントデバイスから鍵を受け取るよう構成されたＮＦＣ要素を含む。中間通信デバイスはまた、鍵をサーバに送信するための非ＮＦＣ非電話無線送信器と、無線送信器を制御するプロセッサとを含む。
【０００９】
構造及び動作に関する本発明の詳細は、同じ参照符号が同じ要素を示す添付図面を参照するとより理解することができる。
【図面の簡単な説明】
【００１０】
【図１】本発明の原理による非限定的なネットワークのブロック図である。
【図２】本発明の原理による非限定的なクライアントデバイスのブロック図である。
【図３】本発明の原理による非限定的なクライアントデバイスのブロック図である。
【図４】登録通信プロセスを示すタイムライン図である。
【発明を実施するための形態】
【００１１】
最初に図１を参照すると、全体的に参照符号１０で示されたホームネットワークが図示されており、該ホームネットワークは、限定ではないが、ＤＶＤプレーヤ、又はＰＶＲ、又はビデオカメラなどの少なくとも１つのクライアントデバイス３００と、少なくとも１つのポータブルハンドヘルド遠隔制御装置１００と、限定ではないがサーバＴＶなどの少なくとも１つのネットワークサーバ２００とを含む。
【００１２】
最初に遠隔制御装置１００から始めると、図示のように遠隔制御装置１００内にはマイクロプロセッサ１０１が設けられる。以下でより十分に開示されるように、マイクロプロセッサ１０１は、ＮＦＣアンテナ１０３及び関連のＮＦＣインタフェース１０２を用いて、クライアントデバイス３００から特定の情報を読み込む。次いで、同様に以下で更に説明されるように、マイクロプロセッサ１０１は、当該技術分野で公知のＩＲ（赤外）通信原理によるＩＲ送信器１０４（発光ダイオード（ＬＥＤ）により実施することができる）などの非ＮＦＣ無線送信器を用いて、サーバＴＶ２００に情報を送信する。
【００１３】
非限定的な実施形態において、ＮＦＣインタフェース１０２／アンテナ１０３は、Ｓｏｎｙ製「Ｆｅｌｉｃａ」チップ（「ＳＵＩＣＡ」チップとしても知られる）により実施することができ、該チップは、遠隔制御装置１００の内部に組み込むか、もしくは遠隔制御装置のケースに取り付けることができ、或いは、ケースとは物理的に分離し、ユニバーサルシリアルバス（ＵＳＢ）ケーブルなどのケーブルを介して遠隔制御装置１００に接続することができる。従って、ＲＦＩＤライター／リーダを用いて、本発明の遠隔制御装置１００のＮＦＣ構成要素及び／又は以下で更に検討するクライアントデバイス３００のＮＦＣ構成要素を実装してもよい。
【００１４】
図４に示す本発明のロジックの実施において、遠隔制御装置１００のマイクロプロセッサ１０１は、遠隔制御装置１００のメモリ１０５内に格納することができるソフトウェアプログラムを実行する。限定ではないが、半導体メモリとすることができるメモリ１０５はまた、クライアントデバイス３００から読み込まれる情報などのデータを格納することができる。図示のように、遠隔制御装置１００上には、キーパッド１０６も設けられ、例えば、人がコマンドを入力するために操作することができる。遠隔制御装置１００はまた、限定ではないが、液晶ディスプレイ（ＬＣＤ）１０７などの出力デバイスも備えることができ、マイクロプロセッサ１０１からデータを受信して、例えば、「キー読み込み」、「キーをサーバに送信」、その他などのメッセージを示すことができる。
【００１５】
次に、サーバ２００を参照すると、１つの実施形態において、サーバ２００は、デジタルＴにより実施され、チューナ／フロントエンド２０７において調整されるオーディオ／ビデオ（ＡＶ）信号をアンテナ又はケーブルネットワーク４０１から受信することができる。信号は、ＡＣデコーダ２０８でデコードされ、信号のビデオ部分がＬＣＤパネル２０９などのＴＶディスプレイに送られる。オーディオ信号は、オーディオ増幅器２１０で増幅され、図示のようにスピーカ２１１に送られる。
【００１６】
当該技術分野で公知のデジタルＴＶ原理に従って、ＴＶマイクロプロセッサ２０１は、チューナ／フロントエンド２０７及びＡＣデコーダ２０８を制御する。更に、ＴＶマイクロプロセッサ２０１は、ＩＲ受信器２０４からデータを受け取り、該データは、遠隔制御装置１００のＩＲ送信器１０４から受け取ったコマンド信号（例えば、チャンネルアップ／ダウン、音量制御、その他）を含む信号を表す。同じタイプのコマンド信号もまた、サーバ２００上の利用可能な鍵２０６を用いてＴＶマイクロプロセッサ２０１に入力することができる。
【００１７】
図１に示すような、チューナフロントエンド２０７及びＡＣデコーダ２０８に出力を提供することに加えて、ＴＶマイクロプロセッサ２０１はまた、限定ではないが、Ｅｈｔｅｒｎｎｅｔインタフェースなどのネットワークインタフェース２１２と通信することができる。ネットワークインタフェース２１２は、図示のようにホームネットワーク４００に接続される。ＴＶマイクロプロセッサ２０１はまた、限定ではないが、本発明のロジックを実行してデータを格納するためなど、サーバメモリ２０５にアクセスすることができる。何れの場合においても、サーバ２００はＮＦＣ機能を必要としない。
【００１８】
幾つかの実施において、ホームネットワーク４００は、Ｅｔｈｅｒｎｅｔ（登録商標）ネットワーク又は送電線ネットワークなどの他の有線ネットワークとして実施することができる。他の実施において、ホームネットワーク４００は、ＩＥＥＥ８０２．１１ベースのネットワークなどの無線ネットワークとして実施することができる。何れの場合においても、ホームネットワーク４００は、モデム４０２を用いてインターネット４０３に接続され、ＴＶマイクロプロセッサ２０１がインターネットにアクセスできるようにすることができる。
【００１９】
非限定的な例示の遠隔制御装置１００及びサーバ２００を説明したが、図１に示すクライアントデバイス３００の２つの非限定的な実施形態を理解するために、ここで図２及び３に注目する。本発明の原理によれば、クライアントデバイス３００はＮＦＣ要素３５０を含む。図示の実施形態では、要素３５０は、クライアントデバイス３００のハウジングの内側又は外側表面上でクライアントデバイス３００に物理的に付着させることができるステッカーとすることができる。ＮＦＣ要素３５０は、限定ではないが、ＲＦＩＤリーダ又はＲＦＩＤライターとすることができ、クライアントデバイス３００に接着する代わりに、ＵＳＢケーブルなどのケーブルを用いてクライアントデバイスに接続することができる。
【００２０】
図示のように、ＮＦＣ要素３５０は、ＮＦＣアンテナ３５１及びＮＦＣモジュール３５２を含み、該モジュールは、限定ではないが、好ましくはモジュール３５２内に工場書込みの暗号鍵などのデータを格納する。加えて、クライアントデバイス３００は、クライアントメモリ３０５内に格納されるロジックを実行することができるクライアントマイクロプロセッサ３１０を含み、クライアントメモリ３０５はまた、ＮＦＣモジュール３５２内に暗号鍵のコピーを格納することができる。更に尚、クライアントデバイス３００は、ホームネットワーク４００と、従って、該ネットワーク４００を通じてサーバＴＶ２００と通信するよう構成されたネットワークインタフェース３０４を含むことができる。クライアントデバイス３００において、非限定的な付加的な機能ブロックを含めることができる。例えば、クライアントデバイス３００は、防犯カメラである場合には、ＣＭＯＳ／ＣＣＤ撮像装置、ＡＤコンバータ、ビデオエンコーダ、その他を含むことができる。
【００２１】
図３は、本質的に全ての観点において図２に示すクライアントデバイスに機能及び構造が同一とすることができる代替のクライアントデバイスを示しているが、但し例外として、図３に示すクライアントデバイス３００は、ステッカー３５０の代わりにＮＦＣアンテナ３０３及びＮＦＣインタフェース３０２を含むことができ、上述の暗号鍵は、クライアントデバイスのメモリ内に格納され、ＮＦＣインタフェース３０２及びＮＦＣアンテナ３０３を用いて遠隔制御装置１００に送信される。
【００２２】
暗号鍵に加えて、クライアントデバイスは、例えば、デバイス名、タイプ、シリアルナンバー、ＭＡＣアドレス、その他を含むデバイス情報を格納する。デバイス情報は、暗号鍵で暗号化することができ、クライアントデバイス３００がネットワーク４００に接続されると、該クライアントデバイスが、ネットワーク４００上でサーバＴＶ２００に暗号化されたデバイス情報を送信することができるようになる。非限定的な実施において、ＤＥＳ又はＡＥＳ暗号化を用いることができる。比較的好ましい実施において、暗号鍵と、例えば、デバイス名、タイプ、シリアルナンバー、ＭＡＣアドレス、その他を含むデバイス情報との両方をＮＦＣを用いて遠隔制御装置１００に、更に遠隔制御装置１００からＩＲを用いてサーバ２００に送信することができる。
【００２３】
従って、好ましい実施形態において、ＴＶマイクロプロセッサ２０１は、遠隔制御装置１００からＩＲ送信された暗号鍵を受け取り、これをＴＶメモリ２０５内に格納する。ＴＶマイクロプロセッサ２０１はまた、ネットワーク４００上でクライアントデバイス３００から暗号化データを受け取る。ＴＶマイクロプロセッサ２０１は、暗号化データを暗号鍵を用いて解読し、クライアントデバイス３００を新しいネットワークデバイスとして登録する。
【００２４】
図４は、上記で検討したこれらのデバイス間の通信を示している。最初に、遠隔制御装置１００が新しいクライアントデバイス３００にタッチし、ステップ（１）で示すように、ＮＦＣを介してクライアントデバイス３００から遠隔制御装置１００に暗号鍵が送信される。次いで、ステップ（２）において、暗号鍵が遠隔制御装置１００からサーバＴＶにＩＲ送信される。相手方は室外のＩＲメッセージを監視することはできない点に留意されたい。次に、ステップ（３）において、サーバＴＶ２００は、例えば、ユーザデータグラムプロトコル（ＵＤＰ）メッセージをネットワークを介して同報通信し、クライアントデバイス３００に応答を促す。ステップ（４）において、クライアントデバイス３００は、適切なＵＤＰ応答を返し、ステップ（５）において、上述の暗号化データを、例えば通信制御プロトコル（ＴＣＰ）を用いてサーバＴＶに送信する。ステップ（６）で、サーバは、ＴＣＰ確認応答メッセージをクライアントデバイス３００に返し、クライアントデバイスにメッセージを受け取ったことを知らせる。
【００２５】
サーバ２００及びクライアント３００は、通信の最初では互いに認識していないので、上記で検討したＵＤＰメッセージ交換は有利に用いることができるである点に留意されたい。ＵＤＰ目メッセージが交換された後、サーバ２００及びクライアント３００は、通信する必要がある相手を認識する。
【００２６】
上記で検討したＩＲ通信は、６４ビット又はそれよりも長い暗号鍵を送信するのに十分高速で安定していることが好ましい。
【００２７】
遠隔制御装置１００とサーバＴＶ２００との間の非ＮＦＣ通信方法は、ＩＲ通信に限定されない。例えば、通称「ＺｉｇＢｅｅ」通信などの無線通信を用いることができる。非ＮＦＣ無線通信の場合、遠隔制御装置とサーバＴＶは、相手方が無線通信を監視するのを防止するために、別の共通鍵を共有することが有利である。例えば、サーバＴＶは、画面上にかぎ番号を示すことができる。ユーザは、キーパッド１０６を用いてこの鍵番号を遠隔制御装置に入力することができる。次いで、クライアントデバイスの元の鍵をこの共通鍵で暗号化し、サーバＴＶに送信することができる。
【００２８】
任意選択的に、遠隔制御装置１００は、電子決済機能を有することができる。この場合、遠隔制御装置は、ユーザが提示するプリペイドＮＦＣカードを読み込むことができる。支払いの引き落としに成功した場合、遠隔制御装置は、購入ＩＤをサーバＴＶにＩＲ送信する。次いで、サーバＴＶは、購入ＩＤを用いてペイパービュー番組にアクセスし、デコーディング許可を得ることができる。
【００２９】
幾つかの実施において、遠隔制御装置ハードウェアは無線電話に組み込むことができ、一部の無線電話には、既にＮＦＣインタフェース及び電子決済アプリケーションを有することが認識されている。無線電話には、無線電話送信器に加えて非ＮＦＣ無線送信器（例えば、上述のＩＲ  ＬＥＤ）が提供され、上述の遠隔制御装置として修正携帯電話を用いることができる。
【００３０】
上述のシステム及び方法は使い勝手がよいことは理解することができる。ユーザは、新しいデバイスの登録を行うのに、遠隔制御装置を用いてデバイスにタッチすれば十分である。本明細書で提示されるシステム及び方法は、大型で、重量のある、ポータブルでないデバイスを容易に登録することができ、デバイス情報が暗号化されてネットワーク上を送信されるのでセキュアである。不正なデバイスをネットワークに接続することは極めて困難である。また、本明細書のシステム及び方法は、例えば、サーバＴＶがＮＦＣインタフェースを必要としないので、低コストの解決策である。また、携帯電話を使用する場合、ＩＲ  ＬＥＤと小さなソフトウェア追加だけが必要となる。
【００３１】
本明細書において特定の「ホームシステム用オーディオビデオデバイスの近距離登録方法」を図示し詳細に説明したが、本発明が包含する発明の対象は請求項によってのみ限定される点は理解されたい。
【符号の説明】
【００３２】
１００  遠隔制御装置
１０１  マイクロプロセッサ
１０２  ＮＦＣインタフェース
１０３  アンテナ
１０４  ＩＲダイオード
１０５  メモリ
１０６  キーパッド
１０７  ＬＣＤ（液晶ディスプレイ）
２００  Ｓｅｒｖｅｒ  ＴＶ  サーバＴＶ
２０１  マイクロプロセッサ
２０４  ＩＲ受信器
２０５  メモリ
２０６  鍵
２０７  チューナフロントエンド
２０８  ＡＣデコーダ
２０９  ＬＣＤ（液晶ディスプレイ）
２１０  増幅器
２１１  スピーカ
２１２  ネットワークインタフェース
３００  クライアントデバイス
４００  ホームネットワーク
４０１  アンテナ又はケーブル
４０２  モデム
４０３  ＡＤＳＬ又はケーブル
【図１】
0005464751.tif 000002
【図２】
0005464751.tif 000003
【図３】
0005464751.tif 000004
【図４】
0005464751.tif 000005